(57)【要約】本発明は装着面に新たな層を設けることなく、毛髪が直接頭皮に接触することを防止することができるかつらに関する。かつらベース３１は、太い糸状物３２と細い糸状物３３が網目状に設けられることにより構成される。毛髪３５は、細い糸状物３３にだけ縛り付けられる。これにより、毛髪３５は、細い糸状物３３の外側で固定されて植設される。なお、太い糸状物３２は、毛髪３５が固定される細い糸状物３３の太さと毛髪３５の太さの和より太くなっている。本発明は、例えば、かつらに適用することができる。
2010004621.tif 000002
【特許請求の範囲】
【請求項１】
少なくとも２種類の太さの異なる糸状物が網目状に設けられことにより構成されるかつらベースと、
前記かつらベースに植設される毛髪と
を備え、
前記毛髪は、前記糸状物のうちの細い糸状物の外側で固定され、
前記毛髪が固定されない糸状物は、前記毛髪が固定された糸状物の太さと前記毛髪の太さの和より太い
かつら。
【請求項２】
前記糸状物が形成する網目の形状は、四角形または六角形である
請求項１に記載のかつら。
【請求項３】
人体の頭部に装着されるかつらベースと、
前記かつらベースに植設される毛髪と
を備え、
前記かつらベースは、複数の糸を編むことにより形成される糸状物が網目状に設けられることにより構成され、
前記毛髪は、前記複数の糸のうちの最も装着面側の糸以外の糸の外側で固定される
かつら。
【請求項４】
前記糸状物の太さは、250ミクロン以上500ミクロン以下である
請求項３に記載のかつら。
【発明の詳細な説明】
【技術分野】
【０００１】
本発明は、かつらに関し、特に、装着面に新たな層を設けることなく、毛髪が直接頭皮に接触することを防止することができるようにした、かつらに関する。
【背景技術】
【０００２】
かつら（ウィッグ）は、人体の頭部に装着されるかつらベース（ベースネット層）に毛髪を植設することにより構成される。このかつらベースとしては、例えば、合成樹脂または合成ゴムの薄膜、合成繊維などを編み込んだ編み地やネットなどが用いられる。【０００３】
また、毛髪の植設方法としては、毛髪をかつらベースに単に挿通させる、いわゆるＶ植毛方法がある（例えば、特許文献１参照）。このＶ植毛方法では、かつらベースの表面に結び目が形成されないので、あたかも頭皮から毛髪が生えているように見せることができる。【０００４】
しかしながら、Ｖ植毛方法では、毛髪が単に挿通されるだけであるので、手指やブラッシングなどで簡単に引き抜かれてしまう。従って、通常、毛髪を固定するために、毛髪が植設された後、かつらベースの装着面側に有機溶剤で希釈した接着溶液が塗布される。その結果、通気性が悪くなり、頭部が蒸れるため、装着感が悪い。【０００５】
毛髪の植設方法としてはまた、図１に示すように、例えば、かつらベースを形成する網目状の糸状物１２に毛髪１１を１本ずつ縛りつけて固定する方法がある（例えば、特許文献２参照）。この場合、かつらベースの装着面１２Ａが網目状となるため、通気性は良いが、毛髪１１が糸状物１２の装着面１２Ａの外側を通ることになる。【０００６】
このため、使用者がかつらを頭部に装着すると、装着面１２Ａの外側を通る毛髪１１が頭皮に直接接触して圧迫する。その結果、違和感が生じたり、かゆみが発生したりする。また、アレルギー性皮膚炎を引き起こすこともある。【０００７】
さらに、装着面１２Ａの外側を通る毛髪１１は、頭皮に接触するので充分に洗髪する必要がある。このため、装着面１２Ａの外側を通る毛髪１１は痛みやすく、抜け毛が発生しやすい。【０００８】
そこで、図２に示すように、糸状物１２の装着面１２Ａに、絹製の被覆層などよりなる保護層１３を新たに設け、装着面１２Ａの外側を通る毛髪１１が頭部に直接接触しないようにすることが考えられている。【０００９】
【特許文献１】特開２００６−１８３２１５号公報
【特許文献２】特開２００６−１９３８７２号公報
【発明の開示】
【発明が解決しようとする課題】
【００１０】
しかしながら、この場合、保護層１３を新たに設ける必要があるので、製造工程が増加し、その結果製造コストが増加する。また、かつら全体の重さが増加したり、通気性が悪くなるために頭部が蒸れたりして、装着感が悪化する。【００１１】
本発明は、このような状況に鑑みてなされたものであり、装着面に新たな層を設けることなく、毛髪が直接頭皮に接触することを防止することができるようにするものである。
【課題を解決するための手段】
【００１２】
本発明の第１の側面は、少なくとも２種類の太さの異なる糸状物が網目状に設けられことにより構成されるかつらベースと、前記かつらベースに植設される毛髪とを備え、前記毛髪は、前記糸状物のうちの細い糸状物の外側で固定され、前記毛髪が固定されない糸状物は、前記毛髪が固定された糸状物の太さと前記毛髪の太さの和より太いかつらである。【００１３】
本発明の第２の側面は、人体の頭部に装着されるかつらベースと、前記かつらベースに植設される毛髪とを備え、前記かつらベースは、複数の糸を編むことにより形成される糸状物が網目状に設けられることにより構成され、前記毛髪は、前記複数の糸のうちの最も装着面側の糸以外の糸の外側で固定されるかつらである。【００１４】
本発明の第１の側面においては、少なくとも２種類の太さの異なる糸状物が網目状に設けられことにより構成されるかつらベースの細い糸状物の外側で毛髪が固定されることにより、かつらベースに毛髪が植設される。なお、毛髪が固定されない糸状物は、毛髪が固定された糸状物の太さと毛髪の太さの和より太い。【００１５】
本発明の第２の側面においては、複数の糸を編むことにより形成される糸状物が網目状に設けられることにより構成されるかつらベースの、糸状物を形成する複数の糸のうちの最も装着面側の糸以外の糸の外側で毛髪が固定されることにより、かつらベースに毛髪が植設される。
【発明の効果】
【００１６】
以上のように、本発明によれば、装着面に新たな層を設けることなく、毛髪が直接頭皮に接触することを防止することができる。その結果、例えば、製造コストを増加させることなく、装着感を向上させることができる。
【図面の簡単な説明】
【００１７】
【図１】従来の植設方法の一例について説明する図である。
【図２】保護層が設けられたかつらベースの例を示す図である。
【図３】本発明を適用したかつらのかつらベースの一実施の形態の構成例を示す上面図である。
【図４】図３のかつらベースにおける毛髪の植設方法について説明する図である。
【図５】細い糸状物と太い糸状物の他の配置例を示す図である。
【図６】本発明を適用したかつらのかつらベースの他の一実施の形態の構成例を示す上面図である。
【図７】図６の糸状物に対する毛髪の植設の例を示す図である。
【図８】図６のかつらベースにおける毛髪の植設方法について説明する図である。
【符号の説明】
【００１８】
３１  かつらベース，  ３５  毛髪，  ４１  かつらベース
【発明を実施するための最良の形態】
【００１９】
図３は、本発明を適用したかつらのかつらベースの一実施の形態の構成例を示す上面図である。なお、図３では、説明の便宜上、かつらベース３１の一部を図示してあるが、実際には、かつらベース３１の形状は、人体の頭部の毛髪のない部分や頭部全体の形に沿った形状となっている。このことは、後述する図５および図６においても同様である。【００２０】
図３のかつらベース３１では、太い糸状物３２と細い糸状物３３が垂直に交差するように配置される。その結果、かつらベース３１では、対向する２つの辺どうしが同一の糸状物３２または３３からなる四角形が網目状に配置されることになる。【００２１】
なお、図３の例では、四角形が１つ置きに一直線状に並ぶようにされたが、四角形の並び方はこれに限定されない。例えば、隣接する四角形が一直線上に並ぶようにしてもよい。また、太い糸状物３２と細い糸状物３３は、１本の糸により構成されてもよいし、複数の糸を編むことにより構成されてもよい。【００２２】
次に、図４を参照して、かつらベース３１における毛髪の植設方法について説明する。なお、図４は、図３のＡ−Ａ断面図の拡大図であり、かつらベース３１の表面側が図４中上側となり、頭皮に接触する側が図４中下側となる。【００２３】
図４に示すように、かつらベース３１では、細い糸状物３３にだけ毛髪３５が縛りつけられる。これにより、毛髪３５が細い糸状物３３の外側で固定されて植設される。【００２４】
この場合、細い糸状物３３の外側を毛髪３５が通る。しかしながら、細い糸状物３３と太い糸状物３２の太さの差分により、かつらベース３１の頭皮に接触する側の面３４に凹凸が生じるため、太い糸状物３２の太さが所定の太さ以上である場合、かつらベース３１が頭部に装着されても、毛髪３５は頭皮に接触しない。【００２５】
具体的には、毛髪３５を縛りつけた後の細い糸状物３３の太さが太い糸状物３２の太さより小さい場合、毛髪３５は頭皮に接触しない。即ち、細い糸状物３３の太さをａとし、太い糸状物３２の太さをｂとし、毛髪３５の直径をｃとすると、毛髪３５を頭皮に接触させないためには、ａ＋ｃ＜ｂの条件を満たす必要がある。【００２６】
ここで、毛髪３５としては、全てに人毛を用いてもよいが、人毛と人工毛髪の併用が望ましい。特に、毛髪３５のうちの30％以上50％以下（より好ましくは35％以上45％以下）の毛髪を人毛とし、それ以外の毛髪を人工毛髪とすることが好ましい。人工毛髪としては、ポリアクリロニトリル系合成繊維、ポリエステル系合成繊維、ポリアミド系合成繊維、ポリビニルアルコール系合成繊維、ポリウレタン系合成繊維などを採用することができる。【００２７】
また、一般的に、人毛の太さは、50ミクロン以上80ミクロン以下であり、毛髪３５の太さも同程度である。なお、毛髪３５の太さのばらつきは、製造者が毛髪３５を植設する際に選別することで調整することができる。また、かつらベース３１の糸状物３２および３３の太さは、耐久性などを考慮して100ミクロン以上であることが望ましい。従って、例えば、細い糸状物３３の太さを150ミクロンとすると、太い糸状物３２の太さを230（=150+80）ミクロンより大きくする必要がある。【００２８】
以上のように、ａ＋ｃ＜ｂの条件が満たされる場合、毛髪３５が頭皮に接触しないので、使用者に違和感やかゆみが生じず、使い心地が良い。また、毛髪３５が直接頭皮に接触しないので、充分に洗髪する必要がない。従って、毛髪３５が痛みにくく、抜け毛が発生しにくい。さらに、図２に示したように、保護層１３を新たに設ける必要がないので、かつら全体の重さが軽量であり、頭皮に接触する側の面３４が網目状となるので通気性が良い。【００２９】
なお、図３および図４のかつらベース３１では、太い糸状物３２と細い糸状物３３が垂直に交差するように配置されたが、配置方法はこれに限定されない。他の配置例について、図５を参照して説明する。なお、図５はかつらベースの上面図である。【００３０】
図５の例では、細い糸状物３３が、網目状に配置される正六角形の対向する平行な２辺を形成し、太い糸状物３２が、それ以外の４辺を形成するように、細い糸状物３３と太い糸状物３２が配置される。【００３１】
なお、上述した説明では、糸状物の太さの種類は２種類としたが、２種類以上であれば何種類であってもよい。糸状物の太さの種類が３種類以上である場合、一番太い糸状物以外の糸状物に毛髪が植設されるようにしてもよいし、最も細い糸状物にのみ毛髪が植設されるようにしてもよい。【００３２】
次に、図６は、本発明を適用したかつらのかつらベースの他の一実施の形態の構成例を示す上面図である。【００３３】
図６のかつらベース４１は、網目状に設けられた正六角形の糸状物４２により構成される。この糸状物４２は、図７に示すように、複数の糸を編むことにより形成され、その糸の最も装着面側（図７中奥側）以外の糸に毛髪３５が植設される。なお、糸状物４２の太さは、装着感などを考慮すると、250ミクロン以上500ミクロン以下であることが望ましい。また、図７の例では、糸状物４２の上下２つの辺に１本ずつ毛髪３５が植設されているが、勿論、毛髪３５を植設する辺や植設される毛髪３５の数はこれに限定されない。【００３４】
次に、かつらベース４１における毛髪３５の植設方法の詳細について、図８を参照して説明する。なお、図８は、糸状物４２の１辺の断面図の拡大図であり、かつらベースの表面側が図８中上側となり、頭皮に接触する側(装着面側)が図８中下側となる。【００３５】
図８に示すように、糸状物４２が３本の糸５１−１乃至５１−３を編むことにより形成されている場合、糸状物４２の最も装着面側の糸５１−３以外の糸として、例えば、最も表面側の糸５１−１に毛髪３５が縛りつけられる。これにより、毛髪３５が糸５１−１の外側で固定されて植設される。この場合、糸５１−１の外側を毛髪３５が通る。しかしながら、その毛髪３５の外側を他の糸５１−２や５１−３が通るため、毛髪３５は頭皮に接触しない。【００３６】
従って、使用者がかつらベース４１を頭部に装着した場合に、毛髪３５が直接頭皮に接触することを防止することができる。その結果、使用者に違和感やかゆみが生じず、使い心地が良い。また、毛髪３５が直接頭皮に接触しないので、充分に洗髪する必要がない。従って、毛髪３５が痛みにくく、抜け毛が発生しにくい。さらに、図２に示したように、保護層１３を新たに設ける必要がないので、かつら全体の重さが軽量であり、頭皮と接触する装着面が網目状となるので通気性が良い。【００３７】
なお、図８の例では、糸５１−１に毛髪３５が縛りつけられたが、毛髪３５が縛りつけられる糸は、最も装着面側の糸５１−３以外であればよいため、糸５１−２であってもよい。
【図１】
2010004621.tif 000003
【図２】
2010004621.tif 000004
【図３】
2010004621.tif 000005
【図４】
2010004621.tif 000006
【図５】
2010004621.tif 000007
【図６】
2010004621.tif 000008
【図７】
2010004621.tif 000009
【図８】
2010004621.tif 000010
【国際調査報告】
2010004621.tif 000011
2010004621.tif 000012